(57)【要約】【課題】文字、数字、記号などのキャラクタ入力の操作性に優れた撮影装置を提供すること。【解決手段】撮影装置は、映像を撮影する撮影手段と、前記撮影手段により撮影された映像及び複数の種別の何れかに属する複数のキャラクタを記憶する記憶手段と、前記撮影手段により撮影された映像及び前記キャラクタを選択的に表示する表示手段と、前記表示手段に表示されるキャラクタの種別を選択する種別選択キーと、前記種別選択キーにより選択された種別に属するキャラクタを選択するダイヤルキーと、前記種別選択キーの操作に対応してキャラクタの種別の切り替え表示を制御するとともに、前記ダイヤルキーの操作に対応してキャラクタの切り替え表示を制御する表示制御手段とを備えている。【選択図】      図４
2007082135.tif 000002
【特許請求の範囲】
【請求項１】
映像を撮影する撮影手段と、
前記撮影手段により撮影された映像及び複数の種別の何れかに属する複数のキャラクタを記憶する記憶手段と、
前記記憶手段に記憶された映像及び前記キャラクタを選択的に表示する表示手段と、
前記表示手段に表示されるキャラクタの種別を選択する種別選択キーと、
前記種別選択キーにより選択された種別に属するキャラクタを選択するダイヤルキーと、
前記種別選択キーの操作に対応してキャラクタの種別の切り替え表示を制御するとともに、前記ダイヤルキーの操作に対応してキャラクタの切り替え表示を制御する表示制御手段と、
を備えたことを特徴とする撮影装置。
【請求項２】
前記表示制御手段は、前記種別選択キーの操作に対応して第１の種別に属する第１のキャラクタの表示を制御し、次の前記種別選択キーの操作に対応して第２の種別に属する第１のキャラクタの表示を制御することを特徴とする請求項１に記載の撮影装置。
【請求項３】
前記表示制御手段は、前記ダイヤルキーの連続操作に対応して、前記種別選択キーにより選択された第１の種別に属するキャラクタの切り替え表示を制御し、続けて第２の種別に属するキャラクタの切り替え表示を制御することを特徴とする請求項１に記載の撮影装置。
【請求項４】
前記表示制御手段は、前記ダイヤルキーの回転角に応じて、キャラクタの切り替え表示速度を加速制御することを特徴とする請求項１に記載の撮影装置。
【請求項５】
ネットワークへ接続するための接続手段と、
前記種別選択キー及び前記ダイヤルキーにより選択されたキャラクタに基づき、前記接続手段によるネットワークの接続に必要な情報を設定する設定手段と、
を備えたことを特徴とする請求項１に記載の撮影装置。
【発明の詳細な説明】
【技術分野】
【０００１】
本発明は、静止画及び動画を撮影する撮影装置に関する。
【背景技術】
【０００２】
近年、多機能なデジタルスチルカメラやデジタルビデオカメラなどのデジタル機器の普及が目覚しい。このような多機能なデジタル機器の操作性向上に関する各種提案がなされている。例えば、文字などの情報が入力し易く、入力回数が少なくて済む文字入力に関する技術が提案されている（特許文献１参照）。
【特許文献１】特開２００４−２８０５４２
【発明の開示】
【発明が解決しようとする課題】
【０００３】
しかしながら、上記提案による文字などの情報入力は、必ずしも使い勝手の良いものではなく、さらなる使い勝手の向上が望まれている。
【０００４】
本発明の目的は、上記課題を解決するためになされたものであり、文字、数字、記号などのキャラクタ入力の操作性に優れた撮影装置を提供することにある。
【課題を解決するための手段】
【０００５】
この発明の撮影装置は、以下のように構成されている。
【０００６】
この発明の撮影装置は、映像を撮影する撮影手段と、前記撮影手段により撮影された映像及び複数の種別の何れかに属する複数のキャラクタを記憶する記憶手段と、前記撮影手段により撮影された映像及び前記キャラクタを選択的に表示する表示手段と、前記表示手段に表示されるキャラクタの種別を選択する種別選択キーと、前記種別選択キーにより選択された種別に属するキャラクタを選択するダイヤルキーと、前記種別選択キーの操作に対応してキャラクタの種別の切り替え表示を制御するとともに、前記ダイヤルキーの操作に対応してキャラクタの切り替え表示を制御する表示制御手段と、を備えている。
【発明の効果】
【０００７】
本発明によれば、文字、数字、記号などのキャラクタ入力の操作性に優れた撮影装置を提供できる。
【発明を実施するための最良の形態】
【０００８】
以下、図面を参照し、本発明の実施形態について説明する。
【０００９】
図１及び図２は、この発明の映像撮影装置の一例を示す図である。図１は、映像撮影装置を構成する本体に設けられた収納部に対して表示部を収納した状態を示す図である。図２は、表示部に表示される映像を視認可能な状態にした様子を示す図である。
【００１０】
図１及び図２に示すように、映像撮影装置は、本体１を備えており、この本体１は、レンズ２、フラッシュ３、静止画レコードボタン４、表示部５、動画レコードボタン６、ジョグダイヤル７、十字キー８、種別選択キー９、ズームバー１０、モードレバー１１、パワーボタン１２などを備えている。
【００１１】
さらに、本体１は、収納部２１を備えており、この収納部２１に、表示部５を収納することができる。表示部５は、可動自在に構成されており、収納部２１から取り出して、表示面を任意の角度に調整することができる。表示部５は、ＬＣＤ（液晶ディスプレイ）５１及びスピーカー５２を備えている。
【００１２】
図３は、ジョグダイヤル及び決定ボタンの詳細を説明するための図である。
【００１３】
図３に示すように、ジョグダイヤル７は、円環状に構成されている。このジョグダイヤル７は、右方向及び左方向に回転可能な構成となっている。なお、このジョグダイヤル７は、円環状だけに限定されるものではなく、指が引っ掛かりやすいように多角形の環状であってもよい。
【００１４】
さらにこのジョグダイヤル７の内側には、円形の十字キー８が配置されている。十字キー８は、中心位置にＯＫキー８１、上位置にＵＰキー８２、下位置にＤＯＷＮキー８３、右位置に右キー（方向キー）８４、左位置に左キー（方向キー）８５を備えている。
【００１５】
図４は、図１〜図３を参照して説明した映像撮影装置の概略構成を示すブロック図である。
【００１６】
図４に示すように、映像撮影装置は、ＣＣＤ１０１、信号処理回路１０２、エンコーダ（ＪＰＥＧ／ＭＰＥＧ）１０３、メモリ１０４、ＨＤＤ１０５、メモリカード１０６、デコーダ１０７、ＬＣＤドライバ１０８、ＬＣＤ５１、ＬＡＮコントローラ１１０、ＵＳＢコントローラ１１１、ＬＡＮ端子１１２、ＵＳＢ端子１１３、ＣＰＵ１１４などを備えている。これらは、バス１１５を介して接続されている。
【００１７】
静止画レコードボタン４の操作に対応して、ＣＣＤ１０１は、レンズ２を介して得られる光（静止画像）を電気信号に変換する。或いは、動画レコードボタン６の操作に対応して、ＣＣＤ１０１は、レンズ２を介して得られる光（動画像）を電気信号に変換する。信号処理回路１０２は、ＣＣＤ１０１から出力される電気信号をデジタル信号へ変換する。エンコーダ１０３は、静止画像のデジタル信号をＪＰＥＧに準拠した画像信号へエンコードする。或いは、エンコーダ１０３は、動画像のデジタル信号をＭＰＥＧに準拠した画像信号へエンコードする。ＨＤＤ１０５は、メモリ１０４を介して提供される画像信号を記憶する。着脱可能なメモリカード１０６も、同様に、メモリ１０４を介して提供される画像信号を記憶する。デコーダ１０７は、メモリを介して提供される画像信号をデコードする。ＬＣＤドライバ１０８は、デコードされた画像信号に基づきＬＣＤ５１の駆動を制御し、液晶ディスプレイ上に画像信号を出力する。
【００１８】
記録済み画像の再生時には、デコーダ１０７は、ＨＤＤ１０５又はメモリカード１０６からメモリ１０４を介して提供される画像信号をデコードする。ＬＣＤドライバ１０８は、デコードされた画像信号に基づきＬＣＤ５１の駆動を制御し、ＬＣＤ５１上に画像信号を出力する。
【００１９】
ＨＤＤ１０５又はメモリカード１０６に記録された画像を外部機器（ＰＣ等）に対して転送したり、或いは画像を外部機器から受信したりする場合は、ＵＳＢコントローラ１１１を介してＵＳＢ端子１１３から送受信する。また、ＰＣ等の外部機器を介さずに、例えばＤＶＤレコーダのような画像記録再生装置に対して、直接、エンコードされた画像を送受信することもできる。
【００２０】
一般に、ＤＶＤレコーダに画像を転送するときは、エンコードされた動画像を送信側（映像撮影装置側）でデコードし、ビデオ端子やＳ端子からアナログ出力し、受信側（画像記録再生装置側）でアナログ信号を再エンコードして保存する。この方法では、例えば１時間記録した画像をＤＶＤ等に記録するのに１時間かかる。
【００２１】
しかし、この映像撮影装置では、上記したように、エンコードした画像を、圧縮データとしてネットワーク経由で画像記録再生装置に転送することができる。これにより、エンコード時の圧縮率にも依存するが、実記録時間の１／１０以下の転送時間を達成できる。しかも、画質については、再エンコードしないため高画質の状態を維持できる。例えば、実記録時間の１／１０程度の転送時間で済む場合には、１時間記録した動画像は、約６分程度で他の記録媒体へ記録することができる。ネットワークとしてＬＡＮを考えた場合、ＬＡＮコントローラ１１０を介してＬＡＮ端子１１２により画像データを送受信する。なお、転送の対象となるデータは、動画や静止画だけでなく、音声データでもよい。
【００２２】
この映像撮影装置は、大容量記憶部としてのＨＤＤ１０５を備えている。つまり、このＨＤＤ１０５には、様々なデータ（膨大な数の静止画像や長時間の動画像）を格納することができ、これに伴い画像の送りや戻しに高速性が要求される。このため、これらをストレスなく操作するため、ジョグダイヤル７及び十字キー８が使用される。ジョグダイヤル７の回転に対応して、ジョグダイヤル７は、システム全体を制御するＣＰＵ１１４に対して、回転量（回転角）及び回転方向の情報を出力する。例えば、ジョグダイヤル７は、一定の回転角度に応じたパルスを出力する。例えば、ジョグダイヤル７がｎ度回転すると、ジョグダイヤル７は１パルスを出力する。ＣＰＵ１１４は、単位時間あたりのパルス数をカウントし、単位時間あたりの回転角（回転速度）を演算する。以上により、ＣＰＵ１１４は、ジョグダイヤル７の回転量（回転角）、回転方向、回転速度等の回転情報を取得し、この回転情報に基づき、各種動作を制御したり、ＬＣＤ５１上の表示を制御したりする。十字キー８は、ＣＰＵ１１４に対して、中心位置のＯＫキー８１の押下、上位置のＵＰキー８２の押下、下位置のＤＯＷＮキー８３の押下、右位置の右キー８４の押下、左位置の左キー８５の押下を伝える。ＣＰＵ１１４は、十字キー８における各押下に基づき、各種動作を制御したり、ＬＣＤ５１上の表示を制御したりする。
【００２３】
図５は、映像撮影装置と他の機器とのＬＡＮによる接続の一例を示す図である。例えば、映像撮影装置は、ルーター２０２を介して、ＨＤＤ＆ＤＶＤレコーダ２０３、２０４、２０５、ＰＣ２０６、２０７と接続される。このように、映像撮影装置は、複数の機器と接続されることがある。つまり、映像撮影装置が、他の機器へ画像を転送する場合には、転送先の機器を選択する必要がある。なお、他の機器との接続は、有線接続でも無線接続でもよい。
【００２４】
例えば、映像撮影装置をネットワーク機器として使用するためには、ネットワークの接続に必要な情報の設定が必要となる。このネットワーク設定において、文字、数字、記号などのキャラクタを入力する必要が生じる。例えば、ＨＤＤ１０５は、複数の種別（大文字、小文字、数字、記号など）の何れかに属する複数のキャラクタ（Ａ、Ｂ、Ｃ、…、ａ、ｂ、ｃ、…、０、１、２、…、−、＋、＠、…）を記憶している。ジョグダイヤル７、十字キー８、及び種別選択キー９により、複数のキャラクタを選択入力することができる。ＣＰＵ１１４は、選択入力されたキャラクタに基づき、ネットワークの接続に必要な情報を設定し、ネットワーク接続を制御する。
【００２５】
例えば、ジョグダイヤル７の回転操作に基づき、ＣＰＵ１１４は、大文字（Ａ、Ｂ、Ｃ、…）→小文字（ａ、ｂ、ｃ、…）→数字（０、１、２、…）→記号（−、＋、＠、…）→大文字→…の順に、ＬＣＤ５１に表示されるキャラクタを切り替える。また、種別選択キー９が押下される度に、ＣＰＵ１１４は、大文字の先頭（Ａ）→小文字の先頭（ａ）→数字の先頭（０）→記号の先頭（−）→大文字の先頭→…の順に、ＬＣＤ５１に表示されるキャラクタを切り替える。或いは、十字キー８のＵＰキー８２が押下される度に、ＣＰＵ１１４は、大文字の先頭（Ａ）→小文字の先頭（ａ）→数字の先頭（０）→記号の先頭（−）→大文字の先頭→…の順に、ＬＣＤ５１に表示されるキャラクタを切り替え、十字キー８のＤＯＷＮキー８３が押下される度に、ＣＰＵ１１４は、大文字の先頭（Ａ）→記号の先頭（−）→数字の先頭（０）→小文字の先頭（ａ）→大文字の先頭→…の順に、ＬＣＤ５１に表示されるキャラクタを切り替える。つまり、ジョグダイヤル７はキャラクタを順に切り替え、種別選択キー９又は十字キー８はキャラクタの種別を順に切り替える。例えば、種別選択キー９又は十字キー８の操作によりキャラクタの種別を選択してから、ジョグダイヤル７によりキャラクタを選択するようにすれば、所望のキャラクタを短時間で入力することができる。
【００２６】
上記以外に、ジョグダイヤル７の回転操作に基づき、ＣＰＵ１１４が、大文字に属するキャラクタだけを切り替えたり、小文字に属するキャラクタだけを切り替えたり、数字に属するキャラクタだけを切り替えたり、記号に属するキャラクタだけを切り替えたりするようにしてもよい。この場合、種別選択キー９又は十字キー８の操作によるキャラクタの種別選択が必要となる。
【００２７】
図６は、キャラクタ入力の一例を説明するための図である。図６に示すように、ＬＣＤ５１にＬＡＮ設定一覧５１ａが表示されているとする。この表示状態で、ジョグダイヤル７、又は十字キー８のＵＰキー８２及びＤＯＷＮキー８３により、選択項目マーク５３を移動させ、目的の項目を選択する。次に十字キー８の右キー８４により、設定変更モード５１ｂの表示に切り替える。この表示状態では、例えば、変更／入力対象文字位置５４にカーソルが表示される。この表示状態で、ジョグダイヤル７を回転操作すると、キャラクタを選択（変更）することができる。
【００２８】
図７は、図６の設定変更モード５１ｂの表示状態における、ジョグダイヤル７の回転操作とキャラクタ列との関係を概念的に示す図である。ジョグダイヤル７の回転操作により、ＬＣＤ５１上の入力エリア５５に表示されるキャラクタは、環状に並んでいるキャラクタ列５６の中から選択されたものである。ジョグダイヤル７の回転位置とキャラクタ列５６のキャラクタ位置は、一致している必要はない。ジョグダイヤル７の回転速度に応じて、キャラクタ列５６の移動量は変化する。
【００２９】
図８は、ジョグダイヤルの回転速度とキャラクタ列の移動量の関係を示す図である。ジョグダイヤル７の回転速度が遅い場合は、キャラクタ列を構成するキャラクタの移動量は小さく、ジョグダイヤル７の回転速度が速い場合は、キャラクタ列を構成するキャラクタの移動量を大きくする。つまり、ＣＰＵ１１４は、ダイヤルキー７の回転角に応じて、キャラクタの切り替え表示速度を加速制御する。
【００３０】
図９は、ジョグダイヤル７の回転操作によるキャラクタの選択に加え、種別選択キー９の押下によるキャラクタの種別選択を説明するための図である。ＬＣＤ５１の入力エリア５５に任意のキャラクタが表示された状態で、種別選択キー９が押下されると、この任意のキャラクタの替わりに、種別先頭位置５６ａのキャラクタ（Ａ）、種別先頭位置５６ｂのキャラクタ（ａ）、又は種別先頭位置５６ｃのキャラクタ（０）が表示される。
【００３１】
例えば、入力エリア５５にキャラクタ（Ｇ）が表示された状態で、種別選択キー９が１回押下されると、キャラクタ（Ｇ）の替わりに、種別先頭位置５６ｂのキャラクタ（ａ）が表示される。さらに、この状態で、種別選択キー９が１回押下されると、キャラクタ（ａ）の替わりに、種別先頭位置５６ｃのキャラクタ（０）が表示される。さらに、この状態で、種別選択キー９が１回押下されると、キャラクタ（０）の替わりに、種別先頭位置５６ａのキャラクタ（Ａ）が表示される。
【００３２】
例えば、入力エリア５５にキャラクタ（ｇ）が表示された状態で、種別選択キー９が１回押下されると、キャラクタ（ｇ）の替わりに、種別先頭位置５６ｃのキャラクタ（０）が表示される。さらに、この状態で、種別選択キー９が１回押下されると、キャラクタ（０）の替わりに、種別先頭位置５６ａのキャラクタ（Ａ）が表示される。さらに、この状態で、種別選択キー９が１回押下されると、キャラクタ（Ａ）の替わりに、種別先頭位置５６ｂのキャラクタ（ａ）が表示される。
【００３３】
例えば、入力エリア５５にキャラクタ（５）が表示された状態で、種別選択キー９が１回押下されると、キャラクタ（５）の替わりに、種別先頭位置５６ａのキャラクタ（Ａ）が表示される。さらに、この状態で、種別選択キー９が１回押下されると、キャラクタ（Ａ）の替わりに、種別先頭位置５６ｂのキャラクタ（ａ）が表示される。さらに、この状態で、種別選択キー９が１回押下されると、キャラクタ（ａ）の替わりに、種別先頭位置５６ｃのキャラクタ（０）が表示される。
【００３４】
以上により、図１０に示すような十字キーだけによる入力、又は図１１に示すソフトウェアキーボードによる入力に比べて、少ない操作回数で簡単に多数のキャラクタの中から目的のキャラクタを入力することが可能となる。また、１画面内において、設定項目一覧と設定変更が可能となるため、視認性にも優れる。
【００３５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３６】
【図１】映像撮影装置を構成する本体に設けられた収納部に対して表示部を収納した状態の一例を示す図である。
【図２】映像撮影装置を構成する本体に設けられた収納部に対して表示部を収納した状態の一例を示す図である。
【図３】ジョグダイヤル及び決定ボタンの一例を説明するための図である。
【図４】図１〜図３を参照して説明した映像撮影装置の概略構成の一例を示すブロック図である。
【図５】映像撮影装置と他の機器とのＬＡＮによる接続の一例を示す図である。
【図６】キャラクタ入力の一例を説明するための図である。
【図７】図６の設定変更モードの表示状態における、ジョグダイヤルの回転操作とキャラクタ列との関係を概念的に示す図である。
【図８】ジョグダイヤルの回転速度とキャラクタ列の移動量の関係を示す図である。
【図９】ジョグダイヤルの回転操作によるキャラクタの選択に加え、種別選択キーの押下によるキャラクタの種別選択を説明するための図である。
【図１０】十字キーだけによる入力の一例を示す図である。
【図１１】ソフトウェアキーボードによる入力の一例を示す図である。
【符号の説明】
【００３７】
１…本体、２…レンズ、３…フラッシュ、４…シャッターボタン、５…表示部、６…動画レコードボタン、７…ジョグダイヤル（回転体）、８…決定ボタン、９…種別選択キー、１０…ズームバー、１１…モードレバー、１２…パワーボタン、２１…収納部、５１…ＬＣＤ、５２…スピーカー、１０１…ＣＣＤ、１０２…信号処理回路、１０３…エンコーダ、１０４…メモリ、１０５…ＨＤＤ、１０６…メモリカード、１０７…デコーダ、１０８…ＬＣＤドライバ、１１０…ＬＡＮコントローラ、１１１…ＵＳＢコントローラ、１１２…ＬＡＮ端子、１１３…ＵＳＢ端子、１１４…ＣＰＵ、１１５…バス
【図１】
2007082135.tif 000003
【図２】
2007082135.tif 000004
【図３】
2007082135.tif 000005
【図４】
2007082135.tif 000006
【図５】
2007082135.tif 000007
【図６】
2007082135.tif 000008
【図７】
2007082135.tif 000009
【図８】
2007082135.tif 000010
【図９】
2007082135.tif 000011
【図１０】
2007082135.tif 000012
【図１１】
2007082135.tif 000013